Podtech/llm-jp-corpus-v4-ja_patent huggingface dataset:
(57)【要約】［課題］            子守帯を使用してだっこをする場合、帯がシワになったり細いことで装着者の肩の同一部分に子の重さがかかり、圧迫される苦痛がある。又、装着者と子との間隔を子の発達段階や用途に応じて自在に調節しにくい。［解決手段］        丈夫でシワになりにくく安定感、保持力に優れるデニム地を幅１５センチメートルで使用し、又、装着者自身が自在に子を抱く高さや密着度を変えることができるように、子の臀部に当たる１箇所のみを縫製するものとする。【選択図】          図１
2004250847.tif 000002
【特許請求の範囲】
【請求項１】
出来上がり布幅を１５センチメートル、使用する布地はデニムとし２本の輪を交差させ、１箇所の頑丈な縫製部分を子の臀部を保持する部分とした子守帯。
【発明の詳細な説明】
【０００１】幅１５センチメートルのデニム地、長さ１５０センチメートルを４本用意し、２枚ずつ重ね縫い２本の輪を作る。この２本の輪を垂直に置き、１箇所を正方形（図１の中央部分）の様に頑丈に縫う。布地は丈夫かつ安定感、保持力にすぐれ、又丸めても畳んでもシワにならなく、保清を目的とし洗濯可能なデニム地とする。
また基本的に使用するデニム地の長さを１５０センチメートルとしたが、装着する者の体格により長さを変えることもありうる。
［発明の属する技術分野］
【０００２】本発明はだっこをラクにするための育児用品に関するものである。
［従来の技術］
【０００３】従来は布地を指定せず、布地を交差し２箇所を縫製したものが（文献１）中にあるが、縫製箇所を１箇所とし布地布幅を指定したものは従来なかった。
（文献１）  「かわいい赤ちゃんへ  ベビー服と贈り物」
こうの早苗著  文化出版局１９９０年５月２０日第一版
［発明が解決しようとする課題］
【０００４】従来のものは布地を指定していなかったり布幅が狭いため、布が装着者の肩上でシワになり細くなることで肩の狭範囲に重さがかかり、同一部分が圧迫され、くい込むなど苦痛を伴う。又、従来のものは装着者を特定の１名とし、装着者の体格に合わせて２箇所を縫製してしまうので、他者が子守りを頼まれた場合、容易に使用することができない。又２箇所の縫製により、特定の装着者自身も子との間隔を子の発達段階や用途に応じて調節しにくい。
［課題を解決するための手段］
【０００５】丈夫でシワになりにくく安定感、保持力に優れるデニム地を幅１５センチメートルで使用する。又、特定しない装着者（著しく体格が異なる場合は除く）が自在に子を抱く高さや密着度を変えることができるように、子の臀部に当たる１箇所のみを縫製するものとする。
［発明の実施の形態］
【０００６】使用は子の首がすわってからとする。装着者が縫製部分を前に交差した輪の中に入るような格好でかぶり、両肩に幅１５センチメートルの布をねじれなく安定させる。この時装着者の背中には縫製していない交差部分がある。縫製した交差部分が抱く子の臀部に当たるように装着者は交差部分の高さを調節し、子を上からすっぽり輪に入れる。再度、ねじれがないことを確認し、密着度や高さを調節する。目安として子の臀部が装着者の臍上付近にあるのがラクである。（使用状態を示す図２を参照）
［発明の効果］
【０００７】丈夫でシワになりにくく安定感、保持力に優れるデニム地を布幅１５センチメートルで使用するため、装着者の肩にかかる子の重さは狭範囲に集中してかかることなく、同一部分が圧迫され、くい込むことでの苦痛を伴わない。しかも子を支えるという点でも、この布幅の広さと、又布地を交差させたことで安定感があり、特に子の臀部の保持力に優れている。又１箇所の縫製により装着者が肩にこの帯をかける際、交差部分の高低を変えることが容易で子を抱いた時の子との密着度、高さを自在に調節することができる。すなわち固定されたことで生じる無駄な「あそび空間」がなく、子との密着度をほどよく保つことができる。ただし、子や装着者の著しく激しい動きにより子の上半身が不安定な状態になることもありうるので、装着者はあくまでこの帯はだっこをラクに助けるものという認識のもとで使用し、子との関わりのなかでスキンシップは重要なものとされていることからも必ず装着者は自らの手で子を抱くという意識をもち、子を保護することとする。
【図面の簡単な説明】
【図１】本発明の立面図である。
【図２】本発明の使用状態を示す正面図である。
【図１】
2004250847.tif 000003
【図２】
2004250847.tif 000004
(57)【要約】【課題】冬になると静電気のパチッとくる、あの嫌な思いをするのが嫌なので対策品を色々な店に探しに行きましたが、横着な自分に合うものが無かった。ほとんどの製品は、静電気除去動作を行わなければならないのが面倒なので、静電気除去動作をしなくていいものを考える。【解決手段】静電気でパチッと来るのを防ぐ為に、ドアなどに触れる前、地面に触れるとよいと、聞いていた。それならば、地面に触れた状態をずっと維持しておけば、静電気除去動作をしなくてよい。【選択図】図３
2004250848.tif 000002
【特許請求の範囲】
【請求項１】
身体に溜まった静電気を、この通電性のある静電気防止品を身体に装着し、静電気防止品を引きずる事により、身体にアースが付いた状態と同じにし、大地に静電気を逃がしてやる事が出来、嫌なビリビリを無くし、尚且つファッション性を持たせ、静電気から身体を守る、ファッション静電気防止品。
【発明の詳細な説明】
【０００１】
【発明の属する技術分野】
本発明は、静電気による不快感を無くす製品に関するものである。
【０００２】
【従来の技術】
これまでの静電気防止品は、ドアノブなどに触れる前に静電気防止グッズを手に持って静電気の除去動作又は除去作業を行う。
【０００３】
【発明が解決しようとする課題】
手に持つ静電気防止品又は、其の類の物を使わないで、静電気の除去動作又は除去作業を忘れると、静電気のビリビリで痛い思いをする。
【０００４】
【課題を解決するための手段】
上記課題を解決するために本発明は、身体に溜まった静電気を通電性のある静電気防止品を身体に装着し、静電気防止品を引きずる事により、身体にアースが付いた状態と同じにし、大地に静電気を逃がしてやる事が出来、嫌なビリビリを無くし、尚且つファッション性を持たせ、静電気から身体を守る。
【０００５】
【発明の実施の形態】
以下、本発明のファッション静電気防止品一実施の形態を、図面を参照して詳述する。
【０００６】
図１は、本発明の静電気防止品を両面テープで身体に装着した図であり、長さを合わす時は、使用者がテープで止める位置を調整する実施例である。図２、図３も身体に装着した図であり同様にバンドの止める位置、紐の結ぶ位置で長さを調整する実施例である。
【０００７】
次に、図４は、本発明の静電気防止品を衣服に装着した図であり、衣服で発生した静電気を直接大地に逃がしている実施例である。
【０００８】
【発明の効果】
以上詳述したように、本発明により、身体に溜まった静電気を、通電性のある静電気防止品を身体に装着し、静電気防止品を引きずる事により、身体にアースが付いた状態と同じにし、大地に静電気を逃がしてやる事が出来、嫌なビリビリを無くし、尚且つファッション性をもたせ、静電気から身体を守る。波及効果として、静電気による衣服の絡みつきや、髪の毛の跳ねなども防止出来る。
【図面の簡単な説明】
【図１】静電気防止品を両面テープで身体に装着した一例を示した平面図である。
【図２】静電気防止品をゴムバンドで身体に装着した一例を示した平面図である。
【図３】静電気防止品を紐で結び着けて装着した一例を示した平面図である。
【図４】静電気防止品を衣服に装着した一例を示した平面図である。
【符号の説明】
１  ファッション静電気防止品
２  身体（足）
３  靴下
４  靴
５  両面テープ
６  ゴムバンド
７  紐
８  衣服
【図１】
2004250848.tif 000003
【図２】
2004250848.tif 000004
【図３】
2004250848.tif 000005
【図４】
2004250848.tif 000006
(57)【要約】【課題】本発明は、スタッカ装置部にて用紙ジャムが発生した場合、自動でジャムを修復できるようにする課題とする。【解決手段】本発明は、連続紙電子写真装置のスタッカ装置において、前記スタッカ装置を前記電子写真装置の外部に配置し、前記スタッカ装置は、該スタッカ装置が用紙ジャムを検出した場合、用紙を正常にスタックしている部分まで戻す機能を具備していることを特徴とする。前記スタッカ装置は、用紙を搬送するためのプラーおよび用紙を折りたたみ易くするためのスウィングフィンを有しており、前記プラーおよびスウィングフィンは用紙ジャムが発生したときには開くことを特徴とする。また前記スタッカ装置には、その上部に用紙送りジャムセンサが設置され、ジャムセンサがジャムを検出して用紙を戻す操作が開始された際に、用紙の状態が正常か否かを判定し、用紙が折れ曲がっている場合に二次的なエラー信号を発生させることを特徴とする。【選択図】図１
2004250202.tif 000002
【特許請求の範囲】
【請求項１】
連続紙電子写真装置のスタッカ装置において、前記スタッカ装置を前記電子写真装置の外部に配置し、前記スタッカ装置は、該スタッカ装置が用紙ジャムを検出した場合、用紙を正常にスタックしている部分まで戻す機能を具備していることを特徴とする連続紙電子写真装置のスタッカ装置。
【請求項２】
前記スタッカ装置は、用紙を搬送するためのプラーおよび用紙を折りたたみ易くするためのスウィングフィンを有しており、前記プラーおよびスウィングフィンは用紙ジャムが発生したときには開くことを特徴とする請求項１記載の連続紙電子写真装置のスタッカ装置。
【請求項３】
前記スタッカ装置は、その上部に用紙送りジャムセンサが設置され、該ジャムセンサがジャムを検出して用紙を戻す操作が開始された際に、用紙の状態が正常か否かを判定し、用紙が折れ曲がっている場合に二次的なエラー信号を発生させることを特徴とする請求項１または２に記載の連続紙電子写真装置のスタッカ装置。
【発明の詳細な説明】
【０００１】
【発明の属する技術分野】
本発明は連続紙電子写真装置のスタッカ装置に関するものである。
【０００２】
【従来の技術】
図５に従来の連続紙電子写真装置の概略図を示す。
【０００３】
図５に示すように、用紙１０はヒートロール１１を通過した後スウィングフィン１２に入り、スウィングフィン１２によってスタッカ装置１３内にて正確に折りたたまれる。スタッカ装置１３には用紙１０ジャムセンサが設置されていて用紙１０が通過するタイミングをセンスしている。例えば用紙１０のスタッキング状態が図２のようになると用紙ジャムセンサを通過する用紙１０のタイミングが異常になり、用紙ジャムセンサは用紙折りたたみ状況の異常を検知してエラーを発生させ、それ以上用紙１０が損傷するのを防いでいる。
【０００４】
【発明が解決しようとする課題】
ところで、昨今のプリンタ用途の多様化及び環境問題が重要視される中、使用される用紙も多種の特殊用紙または再生紙を用いる機会が増加し、スタッキング性は悪化してきている傾向にある。
【０００５】
このように用紙ジャムが発生する確率が上昇している状況の中、従来ではジャムが発生してしまった場合エラーで印刷が中断されスタッカ装置部にて人の手でジャムを修復しなければならない。その際誰かが常に監視しているかあるいはエラーで印刷停止したままになるかによって、人手がかかるかまたは印刷量が低下するという問題があった。
【０００６】
本発明は、スタッカ装置にて用紙ジャムが発生した場合、自動でジャムを修復できるようにすることを目的とする。
【０００７】
【課題を解決するための手段】
上記の目的は、連続紙電子写真装置のスタッカ装置において、前記スタッカ装置を前記電子写真装置の外部に配置し、前記スタッカ装置は、該スタッカ装置が用紙ジャムを検出した場合、用紙を正常にスタックしている部分まで戻す機能を具備することによって達成される。
【０００８】
【発明の実施の形態】
以下本発明を、図１〜図４に示す実施例で説明する。
【０００９】
本発明は、従来ヒートロール直下にあるスタッカ装置８を図１のように連続紙電子写真装置本体１の外部に配置し、装置本体１とスタッカ装置８の間に用紙２のバッファを設けている。スタッカ装置８において用紙ジャムが検出された場合、図２に示すようにジャム発生部分の用紙を逆走行させ戻す構成になっている。その際スウィングフィン６とプラー５それぞれは用紙２が変形していた場合にも変形した用紙２がスウィングフィン６とプラー５に挟まれない程度に開くようになっている。
【００１０】
さらに本発明は、スタッカ装置８上部に図３のような用紙送りジャムセンサ４が設置され、図４のように用紙２が正常な形状をしている場合にはエラーなく用紙２を逆走行させるが、用紙２が変形していた場合にはエラーを発生させる。
【００１１】
用紙２の変形がなく正常に用紙２を逆走行させることができた場合、ジャムの部分が終わり正常にたたまれている部分まで用紙２が戻ると、用紙２はスタッカ装置ジャムセンサ７を一定の間隔で横切るようになる。その時点でセンサ４は用紙が正常にたたまれているところまで戻ったと判断し逆走行を停止させ、その後印刷を自動で再開させる。
【００１２】
【発明効果】
本発明によれば、スタッカ装置で用紙ジャムが発生した場合、自動でジャムを修復し印刷を再開できる。
【図面の簡単な説明】
【図１】本発明の実施例を示す概略図。
【図２】本発明の実施例におけるスタッカ装置の拡大図。
【図３】本発明の実施例における用紙送りジャムセンサおよび用紙送りガイドの斜視図。
【図４】本発明の実施例における用紙送りジャムセンサおよび用紙送りガイドに用紙が逆走行しているときの斜視図。
【図５】従来の連続紙電子写真装置の概略図
【符号の説明】
１は連続紙電子写真装置本体、２は用紙、３は用紙送りガイド、４は用紙送りジャムセンサ、５はプラー、６はスウィングフィン、７はスタッカ装置ジャムセンサ、８はスタッカ装置である。
【図１】
2004250202.tif 000003
【図２】
2004250202.tif 000004
【図３】
2004250202.tif 000005
【図４】
2004250202.tif 000006
【図５】
2004250202.tif 000007
(57)【要約】【課題】Ｔｌ系酸化物超伝導体は、転移温度Ｔｃが１２０Ｋ以上と高いものの、主成分であるＴｌは強い毒性を持つため、環境に与える影響が問題となっている。Ｂｉ系酸化物超伝導体は、その生成プロセスに長い時間が必要であると共に、その特性は製造条件に影響を受けやすく、特性の再現性が低い。Ｙ系酸化物超伝導体は、転移温度が低かった。【解決手段】構成元素としてＣｕを含む酸化物超伝導体に、Ｔｅ化合物が添加される。【効果】転移温度を上昇させることができる。【特許請求の範囲】
【請求項１】
構成元素としてＣｕを含む酸化物超伝導体に、Ｔｅ化合物が添加されたことを特徴とする酸化物超伝導体。
【請求項２】
前記Ｔｅ化合物がＴｅＯ２である請求項１に記載の酸化物超伝導体。
【請求項３】
前記構成元素としてＣｕを含む酸化物超伝導体が、ＹＢａ２Ｃｕ３Ｏｙである請求項１に記載の酸化物超伝導体。
【請求項４】
組成式
ＹＢａ２Ｃｕ３Ｏｙ−ｘＴｅＯ２
で表され、ｘが０＜ｘ≦０．１８の範囲であることを特徴とする酸化物超伝導体。
【発明の詳細な説明】
【０００１】
【発明の属する技術分野】
本発明は、各種電子部品に用いられる酸化物超伝導体に関するものである。
【０００２】
【従来の技術】
従来の酸化物超伝導体において液体窒素の温度以上の温度で超伝導体となるものとしては、Ｙ系酸化物超伝導体（例えば、ＹＢａ２Ｃｕ３Ｏｙ）、Ｂｉ系酸化物超伝導体（例えば、Ｂｉ２Ｓｒ２ＣａｍＣｕｎ＋１Ｏｙ）、Ｔｌ系酸化物超伝導体（例えば、ＴｌｍＢａ２ＣａｎＣｕｎ＋１Ｏｙ）等が知られている。
【０００３】
【発明が解決しようとする課題】
しかしながら、Ｔｌ系酸化物超伝導体は、転移温度Ｔｃが１２０Ｋ以上と高いものの、主成分であるＴｌは強い毒性を持つため、環境に与える影響が問題となっている。また、Ｂｉ系酸化物超伝導体は、転移温度Ｔｃが１００Ｋ以上と比較的高いものの、その生成プロセスに長い時間が必要であると共に、その特性は製造条件に影響を受けやすく、特性の再現性が低いという問題があった。
一方、Ｙ系酸化物超伝導体は、製造上の制約が少なく、その特性の再現性もよかった。しかしながら、転移温度Ｔｃが約９０Ｋと、Ｔｌ系やＢｉ系酸化物超伝導体よりも低かった。この様な状況の中、ＹＢａ２Ｃｕ３Ｏｙの一部の元素を種々の元素で置換することが検討されているが、現在のところ効果的な元素は見つかっていない。
【０００４】
本発明は、転移温度を向上させることができる酸化物超伝導体を提供することを目的とする。
【０００５】
【課題を解決するための手段】
本発明の酸化物超伝導体は、構成元素としてＣｕを含む酸化物超伝導体に、化合物状態において正の原子価を持ったり（電子受容性）、負の原子価を持ったり（電子供与性）することができる両用の元素であるＴｅの化合物が添加される。構成元素としてＣｕを含む酸化物超伝導体は、ＹＢａ２Ｃｕ３Ｏｙ等が用いられる。また、Ｔｅ化合物はＴｅＯ２等が用いられる。
【０００６】
【発明の実施の形態】
Ｙ系酸化物超伝導体であるＹＢａ２Ｃｕ３Ｏｙに、化合物状態において正の原子価を持ったり（電子受容性）、負の原子価を持ったり（電子供与性）することができる両用の元素であるＴｅの化合物（特にＴｅＯ２）を添加し、その添加率を選択することにより、転移温度と１５０Ｋにおける抵抗値を調整することができた。
【０００７】
【実施例】
以下、本発明の実施例について説明する。
まず、本発明による酸化物超伝導体の製造方法について説明する。Ｙ２Ｏ３、ＢａＣＯ３、ＣｕＯ、ＴｅＯ２の原料粉末を所定の組成（ＹＢａ２Ｃｕ３Ｏｙ−ｘＴｅＯ２）となるように秤量し、メノウ乳鉢製の自動擂潰機を用いて１時間擂潰混合した。これらの混合粉末を空気流量２０ｃｃ／分の雰囲気中において８００℃で２４時間仮焼した。この仮焼成粉末を粉砕・混合した後、成形し、焼成することにより本発明による材料を得た。
【０００８】
本発明による酸化物超伝導体の特性の測定は、仮焼成粉末を充分に粉砕した後、ＰＶＡ溶液を混合し、これを乾燥・粉砕したものをプレス機を用いて１００ｋｇ／ｃｍ２の圧力を加えて直径１０ｍｍ、厚さ１ｍｍのペレット試料を成形し、このペレット試料を酸素流量２０ｃｃ／分の雰囲気中で９６０℃で２４時間本焼成してサンプルを得て行った。このサンプルを液体窒素中に入れて十分冷却した後、磁石の上に載せてサンプルが浮上するかどうかでマイスナー効果を確認した。また、このサンプルに銀を蒸着した後、幅１．５ｍｍに切断し、この切断したものを転移温度測定器の端子に固定して液体窒素中に入れて、電流密度を１Ａ／ｃｍ２に保持した状態で転移温度を測定した。
【０００９】
図１は、ＹＢａ２Ｃｕ３Ｏｙ−ｘＴｅＯ２において、ＴｅＯ２の添加量ｘを変えたときのマイスナー効果の有無、転移温度Ｔｃ、１５０Ｋの抵抗率を表にまとめたものである。
本発明の酸化物超伝導体は、ＴｅＯ２の添加量ｘが０．１８以下でマイスナー効果を確認できた。また、ＴｅＯ２の添加量ｘが０の時の転移温度Ｔｃが８７．５Ｋであったものが、ＴｅＯ２の添加量ｘが増加するにしたがって転移温度Ｔｃが上昇してＴｅＯ２の添加量ｘが０．０１の時に最高の９５．５Ｋを示した。ＴｅＯ２の添加量ｘを０．０１よりも増加させたところ、転移温度Ｔｃが低くなる傾向が得られた。
【００１０】
この様に、ＴｅＯ２の添加量ｘが０＜ｘ≦０．１８の範囲で、マイスナー効果を失うことなく、転移温度を向上させることができた。
【００１１】
【発明の効果】
本発明の酸化物超伝導体は、構成元素としてＣｕを含む酸化物超伝導体に、Ｔｅ化合物が添加されるので、従来のものよりも転移温度を上昇させることができる。
【図面の簡単な説明】
【図１】本発明の酸化物超伝導体の特性を説明するための特性の表である。
【図１】
2004250243.tif 000002
(57)【要約】【課題】皮膚表面の保護のみならず、皮膚内部よりその効果を持続させる事により、洗い流してもその効果が持続し、皮膚トラブルを予防し、老化を緩和する化粧料を提供することにある。【解決手段】魚類のうろこを脱カルシウム処理して得られるコラーゲン質、または同コラーゲン質を熱水抽出により水溶性コラーゲン質を溶出させた後の残渣物である、非水溶性コラーゲン質を必須成分として含むことを特徴とする化粧料。【特許請求の範囲】
【請求項１】
魚類のうろこを脱カルシウム処理して得られるコラーゲン質、または同コラーゲン質を熱水抽出により水溶性コラーゲン質を溶出させた後の残渣物である、非水溶性コラーゲン質を必須成分として含むことを特徴とする化粧料。
【発明の詳細な説明】
【０００１】
【発明の属する技術分野】
本発明は皮膚の老化や乾燥肌等の皮膚トラブルを予防し、かつ塗布後長時間効果が持続する化粧料に関するものである。
【０００２】
【従来の技術】
従来のコラーゲン配合化粧料では、皮膚の表層部にコラーゲン質を塗布する事で皮膚表面の保湿を目的とし、乾燥や紫外線を防ぎ皮膚の老化や乾燥を一時的に緩和するものであり、経時や洗い流す事でその効果は低下してしまうものであった。
【０００３】
また、スクラブ入りマッサージ剤に含まれるスクラブはプラスチック系や有機化合物を使用することが多く硬い素材が多い、天然物を使用しても皮膚表面に細かなキズをつけ、逆に皮膚トラブルの原因となるものであった。
【０００４】
【発明が解決しようとする課題】
皮膚表面の保護のみならず皮膚内部よりその効果を持続させる事により、洗い流してもその効果が持続し、皮膚表面にキズをつけずに皮膚トラブルを予防し、老化を緩和する化粧料を提供することにある。
【０００４】
【課題を解決するための手段】
うろこ由来の非水溶性コラーゲン微粒子の特徴である保水性の高さを利用し、各種の皮膚トラブル防止効果のある美容成分を多く含侵させることができる。その化粧料で皮膚にマッサージを施す事により、血流が促進され皮膚細胞を活性化し、各種の美容成分が皮膚内部より効果を持続する事ができる。また、その他の微粒子スクラブ剤と違い、保水性が高く軟らかい事で皮膚表面にキズをつけることは無く、長時間のマッサージが可能となる。そのため、洗い流してもその効果を持続するコラーゲン配合化粧料の提供が可能となる。
【０００５】
【発明の実施の形態】
本発明によるコラーゲンとは、魚類のうろこを由来とし脱カルシウム処理をほどこしたものを乾燥、粉砕し微粒子状態にしたもの。または、脱カルシウム処理後熱水抽出により水溶性コラーゲン質を溶出した残渣物を乾燥、粉砕したものを使用する。
【０００６】
基材となる水分としては、精製水または、海洋深層水および逆浸透膜やイオン交換等の手段により脱塩処理された海洋深層水、脱塩処理の際並行してできる濃縮された海洋深層水から選ばれる１種または複数により構成されることを特徴とする。
【０００７】
海洋深層水では、熱乾燥や凍結乾燥等の方法により水分を除去した海洋深層水塩を配合することも可能である。
【０００８】
本発明による化粧料とは、その形態を特に限定せず、例えば化粧水、乳液、クリーム、美容液、パック、マッサージ料、洗顔料などの基礎化粧品ならびに、シャンプー、リンス、トリートメントなどの頭髪用化粧品、全身の皮膚保護を目的とするボディ用化粧品、医薬部外品等とすることができる。
【０００９】
本発明における化粧料には、請求項１の必須成分のほか、通常の化粧料に配合される成分、例えば水分、油脂、アルコール類、界面活性剤、高分子剤、粉体、洗浄剤、保湿剤、色素剤、香料、紫外線吸収剤、紫外線散乱剤、美白剤、細胞賦活剤、抗炎症剤、酸化防止剤、防腐殺菌剤、美容成分等を本発明の効果を損なわない範囲で化粧料の形態に合わせ適宜選択して用いる事ができる。
【００１０】
【発明の効果】
本発明の化粧料は特に保湿性、皮膚柔和性、その効果の持続性にすぐれ、乾燥肌や皮膚の老化予防に役立つものである。
(57)【要約】【課題】スパウトに不用意に加えられる衝撃に起因した容器の破損を防止する。【解決手段】容器の内部につながる開口を有し該容器の本体部分に埋設固定される基部と、この基部に一体的に連結し該開口を通して排出される内容物の注出口を形成する注出口部からなるスパウトにおいて、前記基部に、注出口部よりも大きい突出代を有する衝撃吸収用のダンパーを設ける。【選択図】        図１
2004250064.tif 000002
【特許請求の範囲】
【請求項１】
容器の内部につながる開口を有し該容器の本体部分に埋設固定される基部と、この基部に一体的に連結し該開口を通して排出される内容物の注出口を形成する注出口部と、該注出口部の先端に被さる密閉栓からなるスパウトであって、
前記基部に、注出口部よりも大きい突出代を有する衝撃吸収用のダンパーを設けたことを特徴とする衝撃吸収機構を備えたスパウト。
【請求項２】
ダンパーが、基部に一体的に連結し注出口部の先端を超えて伸延する帯状部材からなる請求項１記載の衝撃吸収機構を備えたスパウト。
【請求項３】
ダンパーが、把手として機能するものである請求項１または２記載の衝撃吸収機構を備えたスパウト。
【発明の詳細な説明】
【０００１】
【発明の属する技術分野】
本発明は、点滴用の液体を入れるパックや流動性のある液体を入れるパウチの如き袋状容器等の注出口に用いて好適なスパウトに関するものであり、該スパウトを下にして容器が落下したときの衝撃に起因した破損（スパウトと容器の接合部における破れ等）を確実に防止しようとするものである。
【０００２】
【従来の技術】
流動性を有する内容物を充填する容器は、その胴部を押圧することによって内容物を効率的に注出したり、或いは、点滴用液体が充填される容器では内容物の排出・減少に伴いつぶれることができるようにパウチのような柔軟な袋状の容器が使用されており、その本体部分には、内容物の注出経路を確保するためにスパウトが設けられている。
【０００３】
従来、この種の容器に使用されるスパウトは、容器の内部につながる開口を有し該容器の本体部分に埋設固定される基部と、この基部に一体的に成形され該開口を通して排出される内容物の注出口を形成する注出口部からなっている（例えば、特許文献１参照）。
【０００４】
【特許文献１】
特開２００１−４８２００号公報
【０００５】
ところで、スパウトの基部と容器の本体部分は融着や接着によって接合されているのが普通であり、接合部位における強度はさほど高くないことから、例えばスパウトを下側にして容器を落下させてしまった場合に、その衝撃で容器が接合部位で破れてしまうことも懸念されその解決が望まれていた。
【０００６】
【発明が解決しようとする課題】
本発明の課題は、落下等の衝撃による容器の破損を回避でき、しかもこの種の容器を持ち運ぶのに便利なスパウトを提案するところにある。
【０００７】
【課題を解決するための手段】
本発明は、容器の内部につながる開口を有し該容器の本体部分に埋設固定される基部と、この基部に一体的に連結し該開口を通して排出される内容物の注出口を形成する注出口部からなるスパウトであって、
前記基部に、注出口部よりも大きい突出代を有する衝撃吸収用のダンパーを設けたことを特徴とする衝撃吸収機構を備えたスパウトである。
【０００８】
上記のダンパーは、基部に一体的に連結し注出口部の先端を超えて伸延する帯状部材からなるものが好ましく、該帯状部材をアーチ形状に湾曲させることで把手として機能させる。
【０００９】
【発明の実施の形態】
以下、図面を用いて本発明をより具体的に説明する。
【００１０】
図１、２は本発明に従うスパウトの実施の形態を示した図であり、図１は外観斜視図であり、図２（ａ）〜（ｃ）は平面、正面および側面をそれぞれ示した図である。
【００１１】
図１、２において１は内容物を収納するパウチタイプの容器、２は容器１の本体部分に埋設固定される基部である。基部２は容器１の内部につながる開口２ａ（図２参照）を有している。
【００１２】
また、３は基部２に一体的に連結し開口２ａを通して排出される内容物の注出口を形成する注出口部、４は注出口部３の先端に被さる密閉栓である。密閉栓４はねじ止めタイプのキャップやアンダーカットタイプのキャップあるいはヒンジタイプのキャップが適用される。
【００１３】
また、５は基部２に設けられ注出口部３よりも大きく突出した衝撃吸収用のダンパーであり、このダンパー５は基部２と一体的に成形され該基部２の一端から対向する他端に向けアーチを描いて伸延する帯状部材にて構成することができるもので、アーチを描いて伸延する部分については容器１を持ち運ぶ際の把手としての機能を有する。
【００１４】
上記のような構成になるスパウトは、該スパウトを下にして容器１が誤って落下させてしまった場合でも、ダンパー５が先に接地するので、スパウトの先端部、すなわち注出口部３には直接衝撃が加わることがなく容器１の破れ等を効果的に回避することができる。
【００１５】
図３、図４（ａ）〜（ｃ）は本発明に従う他の実施の形態を示した図である。このスパウトはダンパー５を基部２に連結して水平に伸延する水平部分５ａとこの水平部分５ａの先端から垂直に伸延する垂直部分５ｂとこの垂直部分５ｂの先端から注出口部３を取り囲むようにアーチを描くアーチ部分５ｃにて構成したものであり、このようなスパウトは注出口部３にサイズの大きな接続機器を取り付ける場合にダンパー５が邪魔にならないだけでなく、容器１を横向きで落下させてしまった場合においてもスパウトに直接衝撃が加わることはない。
【００１６】
【発明の効果】
本発明によれば、衝撃吸収用のダンパーにより容器を誤って落下させてしまった場合でもスパウトに直接衝撃が加えられることがないので容器がスパウトとの接合部分から破れることがない。
【００１７】
また、ダンパーは容器を持ち運ぶ際の把手として活用することが可能なので、使い勝手がよい利点がある。
【図面の簡単な説明】
【図１】本発明の実施の形態を示した図である。
【図２】（ａ）〜（ｃ）は図１の平面図、正面図および側面図である。
【図３】本発明の他の実施の形態を示した図である。
【図４】（ａ）〜（ｃ）は図３の平面図、正面図および側面図である。
【符号の説明】
１  容器
２  基部
２ａ  開口
３  注出口部
４  密閉栓
５  衝撃吸収用のダンパー
５ａ  水平部分
５ｂ  垂直部分
５ｃ  アーチ部分
【図１】
2004250064.tif 000003
【図２】
2004250064.tif 000004
【図３】
2004250064.tif 000005
【図４】
2004250064.tif 000006
(57)【要約】【課題】現在市販されている、詰め替え用液体洗剤（シャンプー・リンス・ボディーシャンプー及びハンドソープ等）とタンク（本体容器）とをジョイント（直接連結）させることで、数段詰め替え易くしロスなく、最後まで詰め替えることが出来る便利で、簡単な詰め替え用スタンドパックを提供する。【解決手段】（イ）詰め替え用スタンドパック詰め替え用スタンドパック１内の液体用洗剤がタンク６に詰め替えを、容易に尚ロスをなくし、早くするためにタンク６にスタンドパック１を、直接ジョイント出来る様スタンドパック１一角に、右まきの溝４のついた詰め替えジョイント口２を設けその先端の出口部に、出口部分３を設ける。（ロ）詰め替え用スタンドパック詰め替え用スタンドパック１の詰め替えジョイント口２の出口部分３を、円形に大きく開けるためのプルリング５を設ける。【選択図】図２
2004250090.tif 000002
【特許請求の範囲】
【請求項１】
詰め替え用スタンドパック（１）の詰め替えを、容易にロスなくするために、パック（１）の一角に詰め替え用ポリエチレン性ジョイント口（２）を設け出口部分（３）を設けた。詰め替え用スタンドパック
【請求項２】
詰め替え用スタンドパック（１）の中身をもらさないために、詰め替え用スタンドパック（１）と、タンクが一体化できる様詰め替えジョイント口（２）の内側に、右まきの溝（４）を設けた請求項１に記載の詰め替え用スタンドパック
【発明の詳細な説明】
【０００１】
【産業上の利用分野】
この発明は、市販の詰め替え用スタンドパックに入った液体洗剤をロスなく、実用的に使用、かつ容易に詰め替え作業を行える事に関するものである。
【０００２】
【従来の技術】
従来液体洗剤を貯めるタンク部（本体容器）とタンク部にある液体を、少しづつ注ぎ出す注出手段をとる液体洗剤容器がある。需要者は、スタンドパックタイプの袋に入った詰め替え用洗剤を購入し、それをタンクに詰め替えて使用する。
【０００３】
【発明が解決しようとする課題】
詰め替え用液体洗剤の入ったスタンドパックタイプの袋は、
（第一に）はさみの使用
（第二に）切り口が、くっつく
（第三に）手の圧力で中の液体洗剤が飛び出し、こぼれる恐れ
（第四に）詰め替え時間がかかる
（第五に）詰め替え作業につきっきりになる
（第六に）入れ残しがある
（第七に）液体が手につく
などの不具合があったが、本発明は以上の欠点を解決するためのものである。
【０００４】
【課題と解決するための手段】
本発明は、上記に鑑みなされたもので、液体洗剤を貯めるタンク６に詰め替え用のスタンドパック１から容易に、かつロスなく移すためにスタンドパック１一角にタンクの口に合うサイズ（タンク上部に付いているポンプ付きフタと同サイズのもの）の右まきの溝４の付いた一体取り付け口を設けてなる詰め替え液体洗剤スタンドパック容器を提供する。
【０００５】
上記発明の液体洗剤スタンドパック容器１の一角に右まき溝４付きの一体取り付け詰め替えジョイント口２を設けられているためフタ５を開け詰め替え容器タンク６のポンプをはずし注入口に詰め替え用スタンドパック１のジョイント口２を合わせタンク６を回し固定しセットする。そのまま、詰め替え用スタンドパック１を上にすることでタンク（本体容器）６にスムーズに早く入れ残しや手の圧力での液漏れもなく詰め替えることが出来る。
【０００６】
詰め替え用スタンドパック１とタンク６をジョイントさせる詰め替え用スタンドパック１の注入口が大きく設けられており流出量が多いため早く詰め替えることが出来ることで、下のタンク６がすぐに安定し詰め替え作業につきっきりにならなくてよくなり、外出等をすることも容易となる。又、液体が手につくことも防ぐ。
【０００７】
詰め替え用スタンドパック１の出口部分３にプルリング５を設けられているため、はさみの使用をなくし、又切り口がくっつくといった課題も解消することが出来る。
【０００８】
詰め替え用スタンドパック１とタンク６をジョイントさせる事で、詰め替え作業中等に万一タンク６が倒れても液体をこぼすといった心配もなく作業を行うことが出来る。
【０００９】
出口部分１を薄めのポリエチレン性で設ける事で、コストも安く仕上げることが出来る。
【００１０】
【作用】
【イ】〈請求項１の使用法は〉
詰め替え用スタンドパック容器１に詰め替えジョイント口２が設けられて有り、タンク（市販の液体洗剤本体容器）６内に入れる。
【ロ】〈請求項２の使用法は〉
詰め替え用スタンドパック容器１の一角に設けられた詰め替えジョイント口２を市販の液体洗剤タンク６の上部ポンプを左回しにぬいた後詰め替え用スタンドパック１の詰め替えジョイント口２を右回しにタンク６にジョイントする。
タンク６の注ぎ口と詰め替え用スタンドパック１とのジョイント口を発明しました。このときタンク６を右回しに詰め替え用ジョイント口２に連結させても良い。詰め替えパック１の左上部にある、開口部出口３に円形に大きく簡単に開けれる様に、プルリング５を手前に引き開封する。
【００１１】
【発明の効果】
本発明を使用することにより、現在市販されている液体洗剤（シャンプー等）のタンク（容器本体）への詰め替え作業がジョイントすることによって容易となり、こぼす事を防ぎ、又、ネジ式にジョイントする為、手を汚す事も防ぎロスなく上手に詰め替えることが出来る。
【図面の簡単な説明】
【図１】液体洗剤容器の全体図
【図２】出口右まき溝部分（連結部）を示す斜視図
【図３】出口プルリング部分
【図４】タンク（本体）とのジョイント図
【符号の説明】
１  詰め替え用スタンドパック
２  詰め替えジョイント口
３  出口
４  右まきの溝
５  プルリング部分
６  タンク（本体容器）
【図１】
2004250090.tif 000003
【図２】
2004250090.tif 000004
【図３】
2004250090.tif 000005
【図４】
2004250090.tif 000006
(57)【要約】【課題】メガネ使用者や高齢者、視覚障害者が入浴時に洗剤類を間違わずに使うことができる洗剤類識別キャップを提供すること。【解決手段】入浴用洗剤類容器ｄの４種類のキャップを洗剤類ごとに形を変え、例えば丸形、三角、四角、ハート形を使用し、更にキャップ上に洗剤類の頭文字を示す大きい凸文字ｂを付ける。凸文字ｂは、Ｓがシャンプー、Ｒがリンス、Ｂがボデーシャンプー、＋がリンスインシャンプーを表わしている。キャップの外形と大きい凸文字の組み合わせにより、手の触覚と視覚で洗剤類を識別可能にすることである。【選択図】    図２
2004250088.tif 000002
【特許請求の範囲】
【請求項１】
入浴用洗剤類容器に、丸形、三角、四角、ハート形と、１または複数種類の形の違うキャップを用い、キャップ上を手で触れるだけで１または複数種類の洗剤類を識別可能にすることを特徴とする洗剤類識別キャップ。
【請求項２】
キャップ上にシャンプー、リンス、ボデーシャンプーの頭文字Ｓ、Ｒ、Ｂの大きな凸文字を、リンスインシャンプーには、２種類の機能がプラスされた意味で＋の凸文字を付けて、４種類を容易に識別することを特徴とする洗剤類識別キャップ。
【請求項３】
入浴用洗剤類容器に、丸形、三角、四角、ハート形と、１または複数種類の形の違うキャップを用い、前記キャップ上に、シャンプー、リンス、ボデーシャンプーの頭文字Ｓ、Ｒ、Ｂの大きな凸文字を、リンスインシャンプーには２種類の機能がプラスされた意味で＋の大きな凸文字を付けて、外形と凸文字の組合わせによって、１または複数種類を識別可能にしたことを特徴とする洗剤類識別キャップ。
【発明の詳細な説明】
【０００１】
【発明の属する技術分野】１
本発明は入浴用洗剤類容器のキャップを、手で触れること、即ち触覚によって視覚識別を補うことで、複数の入浴用洗剤類を容易に識別することができる洗剤類識別キャップに関する。
【０００２】
【従来の技術】
温泉地のホテルやゴルフ場の大浴場などで見かける風景である。洗い場にシャンプー、リンス、ボデーシャンプーの容器が並んでいるが、メガネ使用者は、たいていメガネを外して入浴する。そのため容器の文字が読めないで困っている。高齢者にも同じ事がいえる。視覚障害者はなおさら識別が困難である。これは、家庭の浴室でも同様である。また、ホテルの浴室に備えてある小型容器のシャンプー、リンス、ボデーシャンプーについても同じことが言える。
従来の入浴用洗剤類容器は同一の形状であり、色違いのものもあるが、文字の表記だけなので、メガネ使用者はメガネ外して入浴するため、湯煙の中では文字が小さくて読み取れず、洗剤類の識別が困難である。高齢者や視覚障害者にあっては、現状の容器では識別は不可能である。
【０００３】
【発明が解決しようとする課題】
本発明の目的は、メガネ使用者や高齢者、視覚障害者が入浴時に洗剤類を間違わずに使うことができる洗剤類識別キャップを提供することにある。
【０００４】
【課題を解決するための手段】
上記の目的を達成するため、請求項１の発明に係る洗剤類識別キャップは入浴用洗剤類容器に丸形、三角、四角、ハート形と４種類の形の違うキャップを用い、キャップ上を手で触れただけで１または複数種類の洗剤類を識別可能にする。
請求項２の発明は、請求項１のキャップ上にシャンプー、リンス、ボデーシャンプーの頭文字Ｓ、Ｒ、Ｂの大きな凸文字を、リンスインシャンプーには、２種類の機能がプラスされた意味で＋の凸文字を付けて容易に４種類の入浴用洗剤類を識別出来るようにする。
請求項３の発明は、入浴用洗剤類容器に、丸形、三角、四角、ハート形と１または複数種類の形の違うキャップを用い、前記キャップ上に、シャンプー、リンス、ボデーシャンプーの頭文字Ｓ、Ｒ、Ｂの大きな凸文字を、リンスインシャンプーには、２種類の機能がプラスされた意味で＋の大きな凸文字を付けて、外形と凸文字の組合わせによって、１または複数種類を識別可能にしたことを特徴とする。
【０００５】
【発明の実施の形態】
本発明の実施例を説明する。図１は（１）、（２）、（３）、（４）の４種類の入浴用洗剤類容器のキャップの平面図、図２は図１の斜視図である。
図１の（１）に示すキャップａは丸形に形成され、その上面には大きな凸文字Ｓがつけられている。同様に（２）に示すキャップａは三角形に形成され、その上面には大きな凸文字Ｒが付けられ、（３）に示すキャップａは四角形に形成され、その上面に大きな凸文字Ｂがつけられ、（４）に示すキャップａはハート形に形成されその上面には大きな凸文字＋がつけられている。
各キャップ上には、図１の（１）、（２）、（３）、（４）の通りｂの位置に、各洗剤類の頭文字を表わすＳ、Ｒ、Ｂ、＋の大きな凸文字を付け、洗剤類の識別を可能にする。
【０００６】
凸文字、外形状，洗剤類の関係の一例を第１表に示す。下記の関係は適宜変更が可能である。
2004250088.tif 000003
【０００７】
本実施例によれば、外形状と大きな凸文字が組合せて用いられているので洗剤類の識別効果がよりすぐれている。他の実施形態としては、大きな凸文字または、外形状のいずれかを用いることでも良い。更に外形状として、４種類を説明しているが、本発明は使用目的に応じて外形状を適宜選択する。例えば、４種類の外形状の１または複数の外形及び大きな凸文字を実施することもできる。
【０００８】
本実施例の使用を説明する。
洗剤類容器に印刷されている小さな文字が読めなくてもキャップに手を触れれば、手の触覚によって外形と、大きな凸文字で洗剤類が識別可能になる。なお、凸文字はできるだけ大きくすることによって視覚による識別も可能にする。
【０００９】
【発明の効果】
本発明によれば洗剤類の種類ごとにキャップの形を変え、および／またはキャップ上に大きい凸文字を付けることによって手の触覚と視覚で洗剤類を容易に識別出来るので、メガネ使用者や高齢者、視覚障害者が入浴時に洗剤類を間違わずに使うことができる。
【図面の簡単な説明】
【図１】本発明の識別キャップの実施例として、４種類の識別キャップを示した平面図である。
【図２】図１に示す４種類の識別キャップの斜視図である。
【符号の説明】
ａキャップ
ｂ洗剤類の頭文字を示す凸文字
ｃ洗剤類の出口
ｄ容器
【図１】
2004250088.tif 000004
【図２】
2004250088.tif 000005
(57)【要約】【課題】包装体に入れた紙幣等の存在を開封することなく外部から確認することができるとともに、お祝い返し等の際の資料として使用することができるようにする。【解決手段】包装体本体１の一部に、内部に収納した紙幣等を外部から視認することができる窓部２を形成するとともに、包装体の一部に提出者の住所、氏名、名称又は／及び金額等を表示する裏カーボン式の剥離可能な表示紙４を配設した。【選択図】        図１
2004250089.tif 000002
【特許請求の範囲】
【請求項１】
包装体本体の一部に、内部に収納した紙幣等を外部から視認することができる窓部を形成するとともに、包装体の一部に提出者の住所、氏名、名称又は／及び金額等を表示する裏カーボン式の剥離可能な表示紙を配設したことを特徴とする包装体。
【発明の詳細な説明】
【０００１】
【発明の属する技術分野】
この発明は、包装体に入れた紙幣等の存在を開封することなく外部から確認することができるとともに、お祝い返し等の際の資料として使用することができるようにした包装体に関するものである。
【０００２】
【従来の技術】
冠婚葬祭等に用いられる包装体には種々のものがあるが、紙製からなる非透明の袋に住所、氏名及び金額等の欄が印刷されている点ではすべてが共通している。
【０００３】
【発明が解決しようとする課題】
ところで一般的には会場に出発する前に前記包装体に紙幣等を収納し、これを会場に持参するのであるが、会場に到着した後に、紙幣等の存在を再確認する光景はよく見かけるところである。このように会場で再確認すると、多数の出席者を必然的にともなう冠婚葬祭等では特に受付付近に渋滞が生じ、円滑な受付作業が行われにくいという課題を要していた。
【０００４】
また前記のように包装体には提出者の住所や氏名を記載する欄が存在したが、これらは後にお祝い返し又は香典返しの際の重要な資料として使用されることになる。したがって受付後においてこの包装体を保存する必要があるところ、この包装体自体の大きさがわざわいして量が嵩張り、保存資料としては必ずしも好ましくはなかった。
【０００５】
【課題を解決するための手段】
そこでこの発明に係る包装体は前記の課題を解決するために、包装体本体の一部に、内部に収納した紙幣等を外部から視認することができる窓部を形成するとともに、包装体の一部に提出者の住所、氏名、名称又は／及び金額等を表示する裏カーボン式の剥離可能な表示紙を配設したものである。
【０００６】
【発明の実施の形態】
次にこの発明に係る包装体の実施の形態を図面に基づいて述べると、１はそれ自体の形状としては従来から存在するものと変わるところがない包装体本体であり、したがってこの包装体本体１は紙で形成されている。
【０００７】
２は包装体本体１の一部、例えば包装体本体１に形成した窓部である。この窓部２は、包装体本体１の上下を上下方向に折り曲げたものにあっては、その折り曲げ片３によって隠匿されない位置に形成することが好ましい。またこの窓部２の形状については、基本的にはいかなるものであっても差し支えがないが、その目的によって形状を変えることも趣向としてはおもしろい。例えば結婚式用のものにあってはハート形、香典袋にあっては蓮の花状等である。尚、窓部２には透明なシートを貼着してもよい。また前記包装体本体１に中袋がある場合は、この中袋の一部に窓部を形成することもあり、またこの窓部に透明なシートを貼着することもあり、さらには中袋全体を透明なシートで形成することもある。
【０００８】
４は住所、氏名又は金額等を記載する表示紙であり、この表示紙４は裏カーボンに形成し、かつ包装体本体１に対して剥離可能に配設してある。またこの表示紙３にあっても、後に剥離する点を考慮すると、折り曲げ片３によって隠匿されない位置に形成することが好ましい。
【０００９】
しかしてこの表示紙４の上面から例えばボールペンを使用して住所等を記載すると、この表示紙４自体に住所等が記載されるのみならず、カーボンが作用して包装体本体１にも住所等が転記されることになるのである。
【００１０】
以上のように、前記窓部２の存在によって包装体本体１内に紙幣が収納されていることを、包装体本体１を開封することなく確認することができ、また表示紙４を剥離することによって、この表示紙４のみを保管することができ、したがって後日行うであろうお祝い返し又は香典返し等の作業に際し、量的に嵩張らない状態の資料をもとに作業を行うことができる。
【００１１】
以上において、この発明に係る包装体を祝儀袋又は不祝儀袋に例をとって説明したが、例えば「お見舞い袋」、「お年玉袋」、「月謝袋」にも使用することができるのである。
【００１２】
【発明の効果】
前記のようにこの発明に係る包装体によれば、包装体本体の一部に、内部に収納した紙幣等を外部から視認することができる窓部を形成するとともに、包装体の一部に提出者の住所、氏名、名称又は／及び金額等を表示する裏カーボン式の剥離可能な表示紙を配設してあるので、包装体本体の内部に収納した貨幣の存在を包装体本体を開封することなく確認することができ、従来往々にして発生した受付付近の渋滞の解消と、お祝い返し等の作業に必要とする資料のコンパクトな保存ができるという効果を有するのである。
【図面の簡単な説明】
【図１】この発明に係る包装体の一実施例を示す正面図である。
【図２】この発明に係る包装体の表示紙の剥離作業の状態を示す斜視図である。
【符号の説明】
１  包装体本体
２  窓部
３  折り曲げ片
４  表示紙
【図１】
2004250089.tif 000003
【図２】
2004250089.tif 000004
(57)【要約】【課題】容易に箱内部の収納物を確認することが可能な、ダンボール及び梱包箱の提供を目的とする。【解決手段】箱の側面に透明及び半透明の合成樹脂系フィルム等を接着して形成された開口部分を設けることにより箱内部の確認が容易となり、更にダンボール及び梱包箱に数種の色を用いることにより、荷物の仕分け・区別がより容易となる識別整理が可能となる。【選択図】図１
2004250086.tif 000002
【特許請求の範囲】
【請求項１】
箱の側面に開口部分を設け、箱内部を確認することを可能としたダンボール及び梱包箱。
【請求項２】
請求項１記載の開口部分は、ミシン目等を介して開口部分を自由に脱着することが出来るダンボール及び梱包箱。
【請求項３】
請求項１記載の開口部分は箱の内側より透明及び半透明の合成樹脂系フィルム等を接着した構造を特徴とし、またフィルム等への印刷も可能とするダンボール及び梱包箱。
【請求項４】
請求項１，２，３の特徴である箱の側面に設ける開口部分と、その際に設ける透明及び半透明の合成樹脂系フィルム等における形態・サイズ・位置・印刷等の加工詳細は、使用する企業等によりデザイン・ロゴ・名称等を考慮の上決定し製作する、予め所定を設けない請求項１記載のダンボール及び梱包箱。
【請求項５】
荷物の仕分け・区別がより容易な方法として、ダンボール及び梱包箱に識別整理を目的とした数種の色を用いた形態を設けた請求項１記載のダンボール及び梱包箱。
【請求項６】
荷物の仕分け・区別の作業等の際、ダンボール及び梱包箱の落下時の衝撃を和らげ、又引きずっても床に傷が付きにくくすることを目的に箱底裏面にフェルト，天然ゴム系，ＥＶＡ等のクッション素材を事前に付着、もしくは後に装着することを可能とした形態部を設けた従来には無い請求項１記載のダンボール及び梱包箱。
【発明の詳細な説明】
【０００１】
【発明の属する技術分野】
本発明はダンボール及び梱包箱の中身が透視可能で即座に荷物を確認することを可能とした、箱側面にスケルトン部を設けたダンボール及び梱包箱に関する。
【０００２】
【従来の技術】
各種の商品類を梱包するダンボール及び梱包箱は箱表面及び側面に中身の収納品名等を印刷及び印字されていないと全く収納物が判らないという難点があった。
【０００３】
【発明が解決しようとする課題】
従来のダンボール及び梱包箱は、上述に記載した具体的な不便性の例として次の様な問題点があった。主に住居及び事務所等の移転する際に用いられる引越専用のダンボール及び梱包箱は、移転先での段積みとなったダンボール及び梱包箱を各部屋別及び各収納別に整理する際、荷物を一箱ごと開閉して内部を確認してから片付けるという、些か困難な手間のかかる作業が一般的であった。
【０００４】
【課題を解決するための手段】
本発明は上記に記載した様なダンボール及び梱包箱を梱包状態のまま容易に仕分け・整理が出来ることを目的としたものである。特に引越業務に用いられるダンボール及び梱包箱では、移転先に於いて段積みとなったダンボール及び梱包箱の状態でも箱側面の透過部分から内部の収納物が容易に確認出来、片付ける作業が一段と効率良く行なわれることを可能とした。
【０００５】
【発明の実施の形態】
以下、本発明の実施の形態を添付図面に従って説明する。図１は請求項１に記載したスケルトンダンボール及び梱包箱の斜視図である。図２は請求項６に記載したクッション素材を装着したダンボール及び梱包箱の箱底裏面斜視図である。
【０００６】
まず、図１の符号１０がスケルトンダンボール本体である。本発明の特徴である開口部分ａを箱側面１１に設けたことにより、容易に箱内部の収納物を確認可能とした。また開口箇所透明フィルム部分ｂには、印刷も可能な透明及び半透明の合成樹脂系フィルム等を用いる。開口部分ａ、開口箇所透明フィルム部分ｂに於けるサイズ・位置・印刷等の形態は任意である。
【０００７】
図２はフェルト等の素材を用いたクッション素材ｃを装着した際の箱底裏面１２であり、事前に付着しない際には添付箇所を記し、後付けも可能とた形態としている。
【０００８】
【発明の効果】
ダンボール及び梱包箱の側面に開口部分を設けたことにより箱を開閉することなく収納物を確認することが出来、開口部分に接着し用いられる透明フィルム部分に企業のロゴや名称等の印刷が可能なため、他社との差別化にも効果的である。また、ダンボール及び梱包箱に数種の色を用いることにより外装からも容易に仕分けや区別等の作業が可能となり、その際箱底裏面にクッション性のあるフェルト等の素材が装着されていることで段積み状態での落下時には衝撃を和らげ、更に作業時に付きやすい床での引きずり傷を防止することが可能である。
【図面の簡単な説明】
【図１】本発明の一実施例を示す斜視図である。
【図２】本発明の一実施例を示す箱底裏面斜視図である。
【符号の説明】
１０  ダンボール及び梱包箱本体
１１  箱側面
１２  箱底裏面
ａ    開口部分
ｂ    開口箇所透明フィルム部分
ｃ    フェルト等の素材を用いたクッション素材
【図１】
2004250086.tif 000003
【図２】
2004250086.tif 000004
(57)【要約】【課題】王冠の抜栓であって単純にて簡単な装置。【解決手段】ビンのふくらみの枠を嵌めて取り付け、枠と王冠とに弾性板を反らし取り付けるものにて、王冠を抜栓する時は指にて弾性板を押し直線にすることにて王冠が押し上がり抜栓する装置。【選択図】          図２
2004250003.tif 000002
【特許請求の範囲】
【請求項１】
プラスチックの枠（４）をビン（３）のふくらみあたりに嵌め込み取り付け、枠（４）と王冠（１）とに弾性板（２）をそらし取り付けてなるものにて、抜栓には弾性板（２）の反りを直線にすることにて王冠（１）を押し上げ抜栓する装置。
【発明の詳細な説明】
【０００１】
【発明の属する技術分野】
本発明は弾性板が反りを元に戻す習性を応用したる装置である。
【０００２】
【従来の技術】
従来の技術は複雑であったり、ビンに取り付けておけなかったり決定的なものがなかった。
【０００３】
【発明が解決しようとする課題】
本発明は、ビン（３）のふくらみの位置にプラスチックの枠（４）を嵌め取り付け、枠（４）と王冠（１）に弾性板（２）を反らせ取り付けてなるものであって、抜栓には弾性板（２）を押して反りを直線にすることにて、弾性板（２）が王冠（１）を押し上げ抜栓するものである。
【０００４】
【課題を解決するための手段】
ビンにプラスチックの枠を嵌め込み、枠と王冠とに弾性板を橋渡し状に反らし取り付けたるもので、抜栓には指で弾性板を押し上げ弾性板を直線にすることにて王冠を押し上げ抜栓する。
【０００５】
【発明の実施の形態】
ビンのふくらみあたりにプラスチック枠を取り付け、枠と王冠に弾性板を反らし取り付けおき、抜栓の時には弾性板を指で押し反りを直線にすることにて、弾性板が王冠を押し上げ抜栓する装置。
【０００６】
【実施例】
ビンに枠を取り付け、枠と王冠に弾性板を反らし取り付けるものにて、抜栓の時は弾性板を指にて押し直線にすることにて王冠を押し出し抜栓する装置。
【０００７】
【発明の効果】
実施には枠を取り付けることにて弾性板を反らして取り付けてなる単純なものにて、ビンに取り付けられ費用も安価にて簡単な装置である。
【図面の簡単な説明】
【図１】正面図である。
【図２】側面図である。
【符号の説明】
１  王冠
２  弾性板
３  ビン
４  プラスチック枠
【図１】
2004250003.tif 000003
【図２】
2004250003.tif 000004